(57)【特許請求の範囲】
【請求項１】
枠体１内には枠体１の背部と枠体１の前部を連通する送風路２を設け、
該送風路２の枠体１の背面側には室内対流ファン３を、また、送風路２の枠体１の前面側には温風吹出口４を取付け、
該送風路２内にはバーナ５の放熱部６を配置し、
前記温風吹出口４には複数本のルーバー７が横設されており、
前記対流ファン３によって送風路２に吹込まれた室内空気は高温となって温風吹出口４から室内に吹出す温風暖房機において、
前記温風吹出口４は送風路２の下部に位置し、その温風吹出口４の上部に接続する送風路２の天板２ａは、下方の温風吹出口４側が低位となる傾斜して形成され、前記対流ファン３は傾斜状の天板２ａに向けて送風することで空気流を温風吹出口４に向けて下向きに流し、
前記ルーバー７の後部には前記傾斜状の送風路天板２ａに沿って下向きに流れる対流ファンの風に逆らって、ほぼ水平にもしくは後縁が低くなるように配置した空気流制御部７ａを設け、
前記ルーバー７の前部には空気流制御部７ａの後緑よりも低い位置に前縁を有するとともに、その前縁は下位のルーバー７の最高位置よりも高くして下位のルーバーとの間に水平方向の空気流通間隔を形成する内部覆い部７ｂを設け、
前記ルーバー７の隙間を素通りしようとするその内部覆い部７ｂの間隔に向う空気流は、前記空気流制御部７ａにぶつかって水平もしくは上方に向けられた空気流により、下側から上に押し上げられるように前方に向かう空気流に変わり、上位のルーバー７の内部覆い部７ｂが流れ方向を変えられた前記空気流を前方に誘導することを特徴とする温風暖房機のルーバー構造。
【請求項２】
温風吹出口４に複数本横設したルーバー７のうち、最下部のルーバー７はほぼ水平にもしくは後縁が低くなるように配置した空気流制御部７ａのみで形成したことを特徴とする請求項１に記載した温風暖房機のルーバー構造。
【請求項３】
枠体１の背面に取付けた室内対流ファン３の前面の送風路２には直接温風吹出口４に向かう空気流を遮る空気遮蔽板８を配置し、該空気遮蔽板８が内部覆い部７ｂの裏面に向かう空気流を抑制する請求項１または請求項２に記載した温風暖房機のルーバー構造。
【発明の詳細な説明】
【０００１】
【産業上の利用分野】
この発明は枠体の温風吹出口から内部の機構が見えないようにすると共に、温風吹出口から吹出す温風が遠くまで届くようにする温風構造に関するものである。
【０００２】
【従来の技術】
温風暖房機の枠体内には背部と前部とが連通する送風路が設けてあり、送風路の入口となる枠体の背部には室内空気を吹き込む対流ファンが取付けられ、また、枠体の前面には送風路に送られた空気が吹出す温風吹出口が設けてある。そして、枠体内に設置したバーナの放熱部が送風路内に配置されているから、対流ファンによって送風路に吹き込まれた空気は、放熱部と熱交換したり、放熱部から吹出す高温の燃焼ガスと混合したりすることで高温になり、温風吹出口から吹出して暖房するものである。
【０００３】
このように温風吹出口から吹出す高温の温風によって室内の暖房をする時において、温風吹出口が送風路の正面にあって温風の流れが水平方向に吹出す構成の時には、温度の高い空気は上昇しやすいので温風は遠くまで届かずにゆるやかなカーブを描いて天井に向かうような流れになってしまい、室内の温度分布が大きくばらつくことになる。また、温風吹出口を送風路の下部に位置させて開口幅を狭くし、温風が床面に向かって強く吹出す構成にすれば、温風がゆるやかなカーブを描いて天井に向かう位置を暖房機から離すことができるものの、暖房機の前方の床面が温風で加熱されて危険な温度になってしまい、床面に温風を吹付けることは問題である。
【０００４】
従って、温風吹出口には温風の流れを変更できるルーバーを取付けて、強い温風が床面に沿って前方に吹出すことで遠くまで届き、室内の温度分布が均一になるようにしている。しかし、ルーバーは空気の流れに対しては大きな抵抗になっており、強い温風を作り出す室内対流ファンはこの抵抗に打ち勝つ空気の流れを作るためには大型化が必要になり、また、高速回転化が必要となっている。一般に室内対流ファンの大型化はコストアップになるために、高速回転によって対応しているが、送風機の回転数を高くすると回転音が大きくなり、騒音を減らす工夫が必要になっている。
【０００５】
【発明が解決しようとする課題】
室内の温度分布を均一化するためには温風を暖房機から遠くまで届かせなければならず、このためには送風路の出口である温風吹出口の開口面積を狭くして強い温風の流れを作り、ルーバーによってこの強い温風の流れを制御しなければならない。しかし、このルーバーは空気の流れの障害になっているから、このルーバーの数を少なくしても温風を遠くまで届かせることができれば、ルーバーによる空気の流れの抵抗が少なくなり、室内対流ファンの騒音を低くすることができる。
【０００６】
この発明は使用するルーバーの数を少なくしても遠くまで温風を届かせることができるルーバー構造を提案すると共に、このルーバーを使用する時に適する最適な送風路構造を提案するものである。また、多数のルーバーを配置した時には暖房機の前面から送風路内のバーナ５や放熱部が見えにくくなっているが、ルーバーの数を減らせば中が丸見えとなり、なんらかの対応が必要である。
【０００７】
【課題を解決するための手段】
この発明は上記の課題を解決するもので、枠体１内には枠体１の背部と枠体１の前部を連通する送風路２を設け、該送風路２の枠体１の背面側には室内対流ファン３を、また、送風路２の枠体１の前面側には温風吹出口４を取付け、該送風路２内にはバーナ５の放熱部６を配置し、前記温風吹出口４には複数本のルーバー７が横設されており、前記対流ファン３によって送風路２に吹込まれた室内空気は高温となって温風吹出口４から室内に吹出す温風暖房機において、前記温風吹出口４は送風路２の下部に位置し、その温風吹出口４の上部に接続する送風路２の天板２ａは、下方の温風吹出口４側が低位となる傾斜して形成され、前記対流ファン３は傾斜状の天板２ａに向けて送風することで空気流を温風吹出口４に向けて下向きに流し、前記ルーバー７の後部には前記傾斜状の送風路天板２ａに沿って下向きに流れる対流ファンの風に逆らって、ほぼ水平にもしくは後縁が低くなるように配置した空気流制御部７ａを設け、前記ルーバー７の前部には空気流制御部７ａの後緑よりも低い位置に前縁を有するとともに、その前縁は下位のルーバー７の最高位置よりも高くして下位のルーバーとの間に水平方向の空気流通間隔を形成する内部覆い部７ｂを設け、前記ルーバー７の隙間を素通りしようとするその内部覆い部７ｂの間隔に向う空気流は、前記空気流制御部７ａにぶつかって水平もしくは上方に向けられた空気流により、下側から上に押し上げられるように前方に向かう空気流に変わり、上位のルーバー７の内部覆い部７ｂが流れ方向を変えられた前記空気流を前方に誘導することを特徴とする。
【０００８】
また、温風吹出口４に複数本横設したルーバー７のうち、最下部のルーバー７はほぼ水平にもしくは後縁が低くなるように配置した空気流制御部７ａのみで形成して、全体が空気流制御部７ａの働きをするようにしている。
【０００９】
また、送風路２の枠体１の前面側の天板２ａは下方に傾斜して形成し、前記送風路２の下部に位置した前記温風吹出口４に向けて下向きに流れる空気流はルーバー７の後部に設けた空気流制御部７ａに誘導されて枠体１の前方に向かうようにしたから、室内対流ファン３による温風の流れは、バーナ５や放熱部６があっても強い乱流を起こすことなく温風吹出口４に向かうようになり、ルーバー７の空気流制御部７ａが効率よく働くようになる。
【００１０】
更に、枠体１の背面に取付けた室内対流ファン３の前面の送風路２には直接温風吹出口４に向かう空気流を遮る空気遮蔽板８を配置し、該空気遮蔽板８が内部覆い部７ｂの裏面に向かう空気流を抑制する構成としたから、室内対流ファン３の温風が内部覆い部７ｂによって逆に床面に向かう流れを作り出すことを防止している。
【００１１】
【作用】
室内対流ファン３で送風路２に送られる空気はバーナ５や放熱部６の熱によって高温になり、この温風は送風路２の下部に位置した温風吹出口４によって流路を狭められて温風速度を高めると共に、送風路２の形状に従って温風の流れは床面に向かった流れになっている。この温風吹出口４には従来のように多数のルーバー７を使わず、複数本のルーバー７が取付けられて隙間を広くすると、ルーバー７の隙間から床面に向かう空気の流量が多くなる。従来ではこの空気の流れをルーバー７に馴染ませて流れ方向を変更するものであるから、ルーバー７の数を少なくして素通りする空気が多いほど制御しにくくなる。
【００１２】
この発明のルーバー７は、ほぼ水平もしくは後縁が低くなるように配置した空気流制御部７ａをルーバー７の後部に設けたから、この空気制御部７ａにぶつかって水平もしくは上方に向けられた空気流は、ルーバー７の隙間を素通りしようとする空気を下側から上に押し上げるように働き、送風路２から床面に向かう空気流は暖房機の前方に向かう空気流に変り、強い流れのまま遠くまで届くようになった。
【００１３】
また、ルーバー７の前部には空気流制御部７ａの後縁よりも低い位置に前縁がある内部覆い部７ｂを設けており、この内部覆い部７ｂは床面に向かう空気流が邪魔される空気制御部７ａの影の部分に位置し、下部の空気流制御部７ａによって流れ方向を変えたルーバー７の隙間を流れる空気流を前方に誘導すると共に、暖房機の前方から送風路２内を見る時にはこの内部覆い部７ｂによって、バーナ５や放熱部６を直接見ることができなくなった。
【００１４】
【実施例】
図に示す石油燃料を用いる暖房機の実施例によってこの発明を説明すると、１は暖房機の枠体、２は枠体１の背部から前部に向かって枠体１内を貫通して形成した送風路、３は枠体１の背面側の送風路２の入口に設けた室内対流ファン、４は枠体１の前面側の送風路４の出口に形成した温風吹出□である。
【００１５】
５は枠体１内に設けたバーナ、９はバーナ５の上部に配置された燃焼室、１０はバーナ５に燃料を供給する燃料ポンプ、１１はバーナ５に燃焼空気を供給する燃焼ファン、１２はバーナ５内を加熱して燃焼可能にする予熱ヒータの働きを行う点火ヒータであり、あらかじめ点火ヒータ１２に通電してバーナ５を高温にしておき、燃料ポンプ１０と燃焼ファン１１を作動するとバーナ５に送られた燃料は気化して点火ヒータ１２の熱で着火し、燃焼ファン１１で送られる空気によって燃焼を開始する。バーナ５で発生した燃焼炎と燃焼ガスは燃焼室９に送られて完全燃焼する。
【００１６】
６は送風路２内に位置したバーナ５の上部や燃焼室９などで構成する放熱部であり、前記室内対流ファン３によって送風路２に吹込まれた室内空気は、バーナ５や燃焼室９及び燃焼室９に続いて配置する図示せざる熱交換部などで加熱されて高温の温風となり、前記温風吹出口４から室内に吹出している。
【００１７】
実施例の石油暖房機はファンヒータと呼ばれる燃焼排気ガスを室内に放出するタイプであってバーナ２の一部と燃焼室９が送風路２内に配置されており、室内対流ファン３によって、送風路２内に送られた室内空気とバーナ５に続く燃焼室９から排出される燃焼排気ガスとが送風路２内で混合し、枠体１の前面の温風吹出口４から温風となって吹出すものである
【００１８】
前記の温風吹出口６は送風路２の正面で枠体１の前面の中央よりもやや低い位置に構成しており、７は温風吹出口６の横幅全体に横に長く構成したルーバーであり、室内対流ファン５によって送られる空気は燃焼室３からの放熱によって加熱され、更に燃焼排気ガスと燃焼空気とが混合して、狭くなった温風吹出口６から吹出し、ルーバー７によって温風が暖房機の前方へ遠くまで届くように方向付けられている。
【００１９】
温風暖房機において温風吹出口４から吹出す温風の流速が遅いときには、温められて温度が高くなった空気は上昇しやすいから温風の流れが上を向きやすく、温風は遠くまで届かずに室内の温度分布はばらつきやすくなる。このため、上記の構成のように温風はできるだけ低い位置から強い流速で吹出すようになっているが、温風吹出口４が送風路２の低い位置にあると、強い温風は床面に吹付けて遠くまで届くようになるが、暖房機の前方の床が加熱されて非常に危険な状態となる。
【００２０】
この状態を避けるために、従来の温風吹出口４にはルーバー７を取付けて温風が床面に吹付けずに前方に向かうようにしているが、ルーバー７の形状に馴染ませて温風の流れを変えるには、細かいピッチでルーバー７を多数取付けなければならず、このルーバー７は温風の流れにとって大きな抵抗となり、室内対流ファン３は流速を得るために大型化や高回転型が必要になる。
【００２１】
最近では暖房機のコンパクト化と低価格化が志向されており、このような室内対流ファン３の使用をやめるためには流路抵抗になっているルーバー７の数を少なくしなければならないが、ルーバー７のピッチを荒くすれば床面に向かう温風がルーバー７の隙間をそのまま通り抜けて床面を加熱する問題点が発生する。
【００２２】
この発明は少ないルーバー７でも効果的に温風の吹出し方向を変えることができるようにするもので、７ａはルーバー７の後部で送風路２側に設けた空気流制御部であり、該空気流制御部７ａはほぼ水平もしくは後縁が低くなるように傾斜させている。７ｂはルーバー７の前部で空気流制御部７ａよりも前方に連続させた内部覆い部であり、該内部覆い部７ｂは空気流制御部７ａの後縁よりも低い位置に前縁を有するように傾斜させている。
【００２３】
この発明のルーバー７では、送風路２から斜め下方に向けて吹出そうとする温風の一部は、空気流制御部７ａに当たって水平もしくは斜め上方に風向を変え、一方、ルーバー７の隙間を通って床面に向かって素通りしようとする温風に対して、風向を変えた温風は下側から上に押し上げて温風方向を上向きに変えるように作用しており、送風路２から温風吹出口４を経て床面に向かう空気流が暖房機の前方に向かう空気流に変り、床面を加熱させることなく強い流れのまま遠くまで届くようになった。
【００２４】
この時、ルーバー７の前部に設けた内部覆い部７ｂの裏面は、下部の空気流制御部７ａによって流れ方向を変えたルーバー７の隙間を流れる温風を付着させて前方に誘導する働きがあり、内部覆い部７ｂの傾斜角度や湾曲状態と温風の流速によっては、内部覆い部７ｂの前縁から上面に向けて温風が巻き込み、温風は暖房機の前方へ向かって流れやすくなる。
【００２５】
一方、ルーバー７の取付けピッチが荒くなると、ルーバー７の隙間から送風路２内部が丸見えとなるが、この内部覆い部７ｂがルーバー７の前部にあると、暖房機の前方から送風路２内を見る時にはこの内部覆い部７ｂによって、バーナ５や放熱部６を直接見ることができなくなった。
【００２６】
上記のようにこの発明のルーバー７は、下部のルーバー７の空気流制御部７ａと上部のルーバー７の内部覆い部７ｂによって温風の流れを変化させる働きがあるから、最下部のルーバー７においては内部覆い部７ｂをなくしても性能はほとんど変化せず、最下部を一枚の平板状のルーバー７で実施すればコストダウンの効果がある。
【００２７】
上記のように本件発明は送風路２と温風吹出口４との位置関係によって温風が斜め下方に吹出されることを利用しているので、このような温風の流れを積極的に作る送風路２の形状とすれば更に優れた効果が得られる。即ち、２ａは枠体１の前面側の送風路４の天板であり、この天板２ａは下方に傾斜して、送風路２を流れる温風を温風吹出口４に誘導する働きがある。
【００２８】
この結果、室内対流ファン３から送風路２に送られた空気は、乱流を起こすことなく傾斜した送風路２の天板２ａに沿って斜め下方に向かって温風吹出口４に至るから、ルーバー７のある温風吹出口４を通過するときの温風は整流された状態になっており、ルーバー７の後部の空気流制御部７ａで変更した空気流の方向が安定して、ルーバー７の隙間を抜ける温風の吹出方向を確実に変更できるようになる。
【００２９】
一方、ルーバー７の内部覆い部７ｂは実質的には下方に傾斜しているから、この傾斜面に向かって直接温風が流れるときには、温風の吹出し方向を床面に向けてしまう恐れがある。８は室内対流ファン３と温風吹出口４の間の送風路２に位置して直接温風吹出口４に向かう空気流を遮る空気遮蔽板であり、室内対流ファン５の風は空気遮蔽板８に邪魔されて直接温風吹出口４に向かわずに、空気遮蔽板８の上方を通過してから温風吹出口４に向かう空気流になってルーバー７の空気流制御部７ａに当たるようになる。このため、ルーバー７の内部覆い部７ｂは空気流制御部７ａの陰になるから、ルーバー７の後部の空気流制御部７ａで変更した空気流の方向が安定して、温風の吹出方向を暖房機の前方に向けることができるようになる。
【００３０】
尚、図に示す実施例は石油燃料を燃焼するポットタイプの石油燃焼器であるが、この発明は送風路に連続する温風吹出口に取付けるルーバーにかかるものであるから、バーナの形式は特に問題ではなく、都市ガスなどの気体燃料や、石油燃料を気化室で熱を加えて気体に代えてガス化して燃焼する燃焼器にも適用できるものである。
【００３１】
【発明の効果】
従来の温風吹出口４のルーバー７の働きは、空気の流れをルーバー７に沿って変更するものであるから、ルーバー７の間隔を広くした時には、送風路２の形状から生まれる下方に向いた空気流がルーバー７の隙間を抜けて、直接暖房機前方の床面を加熱する恐れがあった。この発明はルーバー７の後部に空気流制御部７ａを設けて、ルーバー７の隙間を流れる温風の向きを入口側で変更し、更に、上側に隣接するルーバー７の空気流制御部７ａに続く内部覆い部７ｂの下面に温風を馴染ませて、暖房機の前方へ向かう流れを作り出しており、温風は床面に届くことなく暖房機から離れた前方に至ってからゆるやかなカーブを描いて天井に向かうから、床面の加熱によるトラブルを防止しながら遠くまで温風が届き、室内の温度分布が均一になった。
【００３２】
また、ルーバー７の間の隙間が広い時には、送風路２内のバーナ５などが直接暖房機の前方から見えてしまうのでデザイン的に問題であったが、この発明のルーバー７には内部覆い部７ｂを設けたから、送風路２内を直接見ることができなくなり、優れたデザインの暖房機を得ることができた。
【００３３】
また、このように本件発明ではルーバー７の間隔を広くできるから、室内対流ファン３の流れの障害とならず、室内対流ファン３は高回転型や大きな直径のファンを使わなくともよくなり、温風暖房機の騒音を少なくすることができると共に、安価な室内対流ファン７を使うことができるようになった。
【００３４】
また、温風吹出口４に設けたルーバー７のうち、最下段のルーバー７は空気流制御部７ａのみとしたから安価に製作できると共に、暖房機の前方への空気流を作り出す働きも確実に行うことができる。
【００３５】
また、枠体１の前面側の送風路２の天板２ａを下方に傾斜させたから、送風路２を流れる温風は乱流を起こすことなく温風吹出口４に向かうようになり、ルーバー７のある温風吹出口４を通過する温風は整流状態になっているから、ルーバー７の後部の空気流制御部７ａで変更した空気流の方向も安定し、ルーバー７の隙間を抜ける温風に働きかけて温風の吹出方向を確実に変更できるようになった。
【００３６】
更に、室内対流ファン３の前面の送風路２には、室内対流ファン３の風が直接ルーバー７の内部覆い部７ｂの裏面に向かわないように空気遮蔽板８を設けたから、温風が内部覆い部７ｂの裏面に当たって下向きに温風の流れを変えることはなくなった。また、空気遮蔽板８の上方から温風吹出口４に向かう空気流は、斜め下方に向いた空気流になるから、ルーバー７の空気流制御板７ａは常に期待した働きができるようになった。
【図面の簡単な説明】
【図１】この発明の実施例を示す温風暖房機の縦断面図である。
【図２】この発明の実施例を示す温風暖房機の要部の縦断面図である。
【符号の説明】
１    枠体
２    送風路
２ａ  天板
３    室内対流ファン
４    温風吹出口
５    バーナ
６    放熱部
７    ルーバー
７ａ  空気流制御部
７ｂ  内部覆い部
８    空気遮蔽板
【図１】
0004484419.tif 000002
【図２】
0004484419.tif 000003